(57)【特許請求の範囲】
【請求項１】
所定の長さを有す軸部と、該軸部の両端に外面を垂直平面とする拡径形の皿部をそれぞれ一体取付け、該両皿部の中心に外面を開口する雌ネジ孔を設けるとともに、該両皿部の外面に同形大きさで水分の漏出が生ぜず、またコンクリートの固化に伴う収縮に追従して周面がコンクリート面に密着して該軸部と皿部の周辺に生ずる間隙を両端部分にて閉塞する弾力性のある孔あき盤体を接着取付けしてなる型枠間差し渡し用の軸部材と、型枠の外側より該雌ネジ孔に取外し自在に螺挿取付けする雄ネジ部付きの型枠押さえ治具とからなることを特徴とするコンクリート型枠用セパレーター。
【発明の詳細な説明】
【０００１】
【産業上の利用分野】
本発明はコンクリート型枠用セパレーター、詳しくは型枠の取付け取外しを容易簡単とし、且つ水分等の漏出を防止する型枠用セパレーターに関するものである。
【０００２】
【従来の技術】
コンクリートの基礎や壁面等の打設施工において平行張設する型枠間の幅長の保持と型枠の膨らみを防止するために型枠間に間隔を置いて張設するセパレーターは、従来図７に示すように両側に座金イを嵌付けたセパレーター(ロ)を型枠Ａ，Ｂ間に差し渡して座金イを型枠Ａ，Ｂの抜孔ハの内面に当て、型枠の抜孔ハより突出するセパレーター(ロ)の両端のネジ部ニにナットＣを嵌め締めて型枠Ａ，Ｂを固定するか、図９に示すようにセパレーター(ロ)の両端に螺挿取付けする型枠内面当てＤを型枠の抜孔ハの内面に当て、抜孔ハより型枠の外側に表出するネジ部ニにナットＣを嵌め締めて型枠Ａ，Ｂを固定するようにしてきたものである。
【０００３】
【発明が解決しようとする課題】
しかしながら、従来例は両者とも型枠間の幅長よりセパレーターまたは型枠内面当てが長いために一旦型枠間を拡げてセパレーターまたは型枠内面当ての両端のネジ部を型枠の抜孔から外側に通し出さねばならないために型枠の取付けおよびセパレーターの差し渡しに手間がかかるという課題があり、また座金イや型枠内面当てＤによる抜孔ハの閉塞に弾力性を欠くため抜孔ハの周辺に隙間が生じて投入するコンクリートの固化に必要なセメントミルク等の水分が抜孔ハより外部に漏れ出すという課題があり、またコンクリートの固化に伴う収縮によってコンクリートとセパレーターおよび座金イの周面との間が離れて構築するコンクリート基礎や壁面Ｅの両面間に貫通する隙間ホができて水漏れが生ずるという課題がある。さらに従来例における前者はナットＣを抜き外して型枠を取外した後にコンクリート面から突出しているネジ部ニを図８に示すように折り落としカットして平坦にする必要があり、後者は図10に示すように型枠内面当てＤの抜き外しによってできる孔へモルタル詰めＦして閉塞しなければならないという課題があった。なおモルタル詰めＦはそれ自身の固化に伴う収縮によって壁面Ｅと肌別れしてやがて壁面Ｅとの間に隙間ホが生ずることとなる。
【０００４】
【課題を解決するための手段】
本発明は所定の長さを有す軸部と、該軸部の両端に外面を垂直平面とする拡径形の皿部をそれぞれ一体取付け、該両皿部の中心に外面を開口する雌ネジ孔を設けるとともに、該両皿部の外面に同形大きさで水分の漏出が生ぜず、またコンクリートの固化に伴う収縮に追従して周面がコンクリート面に密着して該軸部と皿部の周辺に生ずる間隙を両端部分にて閉塞する弾力性のある孔あき盤体を接着取付けしてなる型枠間差し渡し用の軸部材と、型枠の外側より該雌ネジ孔に取外し自在に螺挿取付けする雄ネジ部付きの型枠押さえ治具とからなることを特徴とするコンクリート型枠用セパレーターを構成して、かかる課題を解決するようにしたのである。
【０００５】
【発明の実施の形態】
以下図面に基づいて本発明の実施の形態を説明する。
【０００６】
軸部１の両端に外側拡径形の皿部2a，2bを一体取付けして120mmや180mmなどのほか必要に応じた長さを有す数種の型枠間差し渡し用の軸部材３を形成する。なお皿部2a，2bの外面は軸部１と直交する垂直平面4a，4bにて形成し、その中心に外面を開口した一定深さの雌ネジ孔5a，5bを設けている。
【０００７】
皿部2a，2bの垂直平面4a，4bに耐アルカリ性で弾力性のある合成樹脂またはゴムにてなる垂直平面4a，4bと同形の大きさの孔あき盤体6a，6bを接着剤などを用いて接着取付けする。7a，7bは盤体6a，6bの孔あき部で雌ネジ孔5a，5bを表出させている。
【０００８】
このようにして形成した長さの異なる数種の型枠間差し渡し用の軸部材３より型枠8a，8b間の幅長に合わせて例えば120mmの長さの軸部材3を選択して図２に示すように孔あき盤体6a，6bの外面を型枠8a，8b内面の抜孔ハの部分に弾接して抜孔ハを確実に閉塞して軸部材３を型枠8a，8bの内面間に差し渡し、図３に示すように型枠8a，8bの外側より抜孔ハを挟んで型枠押さえ治具9a，9bの雄ネジ部10a，10bを皿部2a，2bに設けた雌ネジ孔5a，5bに解き外し自在に螺挿して治具9a，9bの内面を型枠の外面に押し当てて以って型枠8a，8bを内外両面から押さえ止め固定しておいて型枠8a，8b内に生コンクリートを投入してコンクリート基礎や壁面12等を構築するのである。
【０００９】
型枠8a，8bのそれぞれの抜孔ハの部分は弾力性のある孔あき盤体6a，6bの弾接により密に閉塞されるために、コンクリートの固化に必要なセメントミルク等の水分の抜孔よりの漏出はまったく生じないこととなる。またコンクリートの固化に伴う収縮によって軸部材３および皿部の周辺に間隙ホが生ずるも孔あき盤体6a，6bが追従して図４に示すように孔あき盤体6a，6bの周面トはコンクリート面13に密着して間隙ホを両端部分にて閉塞してコンクリート基礎や壁面12を貫通して漏水することが生じないこととなる。
【００１０】
構築したコンクリート基礎や壁面12等の固化を待って型枠押さえ治具9a，9bを雄ネジ部10a，10bの雌ネジ孔5a，5bに対する螺着を解いて型枠8a，8bを外すのである。
【００１１】
脱型によってコンクリート基礎や壁面12等の両側の表面は軸部材３の差し渡し部分において雌ネジ孔5a，5bと孔あき盤体6a，6bの外面が表出するが、カットすべき突出物や埋め戻し孔がないため、そのまま基礎や壁面として供すことができることとなる。
【００１２】
なお型枠間差し渡し用の軸部材３は合成樹脂、アルミダイカスト、鉄、ステンレス、合成樹脂のいずれかにて形成し、且つ軸部１と皿部2a，2bの周面に型枠押さえ治具9a，9bの周面とともに相対する２面以上に工具等による挟み止め用の平坦面14を形成して、治具9a，9bの螺挿着脱を円滑に進め得るようにしている。また軸部１の周面の長手方向に図６に示す複数本のリブ15を付すときは軸部１を細く形成し得て、しかも強度を増して低コスト化することができる。
【００１３】
【発明の効果】
本発明は以上のようにして、軸部の両端にそれぞれ皿部を一体取付けするとともに皿部の外面に型枠の抜孔を弾接閉塞する孔あき盤体を取付けてなる型枠間差し渡し用の軸部材を長短数種にて形成したので、軸部材の差し渡しに際して型枠の外面に突出する部分がなく、従って型枠間の幅長に適応する長さの軸部材を選択することにより型枠間への軸部材の差し渡しが至極容易となって軸部材の取付け作業を迅速に行うことができるという効果を生ずる。
【００１４】
型枠の抜孔内面を弾力性のある孔あき盤体の弾接にて密に閉塞するので型枠間投入の生コンクリート中のセメントミルク等の抜孔からの漏出が確実に防止されて優良なコンクリート基礎や壁面を構築し得るという効果を生ずる。またコンクリートの固化に伴う収縮により軸部材および皿部の周辺にできる間隙を孔あき盤体の周面にて閉塞するので、構築するコンクリート基礎や壁面は水漏れ等が一切生じないという効果を生ずる。また、型枠の取外し後にコンクリート面よりネジなどの突出部や型枠内面当ての抜き外し孔の生ずることがないから、ネジ等の突出部の折り落としカットやモルタル等による孔埋めなどの後処理を不要にするという効果を生ずる。
【図面の簡単な説明】
【図１】  本発明コンクリート型枠用セパレーターの第１の実施形態の軸部材と一方の型枠押さえ治具を示す斜視図である。
【図２】  同、軸部材を平行張設する型枠間に差し渡した状態を示す正面図である。
【図３】  同、型枠の外側より型枠押さえ治具を螺挿止めし、型枠間に生コンクリートを投入した状態を示す縦断正面図である。
【図４】  コンクリートの固化後、治具の螺着を解いて型枠を外した状態を示す部分拡大断面図である。
【図５】  皿部の周面の平坦面を断面視正六角形状に形成した他の軸部材の例を示す斜視図である。
【図６】  皿部の周面の平坦面を断面視正六角形状に形成し且つ軸部の周面の長手方向に複数本のリブを設けた他の軸部材の例を示す斜視図である。
【図７】  従来例の座金付きセパレーターによる構築例を示す縦断正面図である。
【図８】  同、コンクリートの固化後ナットおよび型枠を外し、コンクリート面から突出しているネジ部を折り落としカットした状態を示す部分拡大断面図である。
【図９】  他の従来例の型枠内面当てを螺挿取付けしたセパレーターによる構築例を示す縦断正面図である。
【図１０】  同、コンクリートの固化後ナットと型枠および型枠内面当てを外して、型枠内面当て跡の孔をモルタル詰め閉塞した状態を示す部分拡大断面図である。
【符号の説明】
１は軸部
2a，2bは皿部
３は軸部材
4a，4bは垂直平面
5a，5bは雌ネジ部
6a，6bは盤体
7a，7bは盤体の孔あき部
8a，8bは型枠
9a，9bは型枠押さえ治具
10a，10bは雄ネジ部
11a，11bは型枠の抜孔
12はコンクリート基礎
13はコンクリート面
14は平坦面
15はリブ
イは座金
ロはセパレーター
ハは抜孔
ニはネジ部
ホは隙間
Ａ，Ｂは型枠
Ｃはナット
Ｄは型枠内面当て
Ｅはコンクリート基礎や壁面
Ｆはモルタル詰め
【図１】
0003807569.tif 000002
【図２】
0003807569.tif 000003
【図３】
0003807569.tif 000004
【図４】
0003807569.tif 000005
【図５】
0003807569.tif 000006
【図６】
0003807569.tif 000007
【図７】
0003807569.tif 000008
【図８】
0003807569.tif 000009
【図９】
0003807569.tif 000010
【図１０】
0003807569.tif 000011